【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】  センターサーバーおよび遊技台の台端末を含めた端末装置を少なくとも有し、端末装置から送信された送信メールを台端末に送信するメール送信装置であって、
前記センターサーバーは、前記端末装置から送信メールを受信した時、受信した送信メールに含まれている送信先会員の会員情報を記憶した会員カードが挿入されている台端末を検索し、検索した台端末に前記受信した送信メールを送信する
メール送信装置。
【請求項２】  センターサーバー，メールサーバーおよび遊技台の台端末を含めた端末装置を少なくとも有し、端末装置から送信された送信メールを前記センターサーバーおよび前記メールサーバーを介して台端末に送信するメール送信装置であって、
前記センターサーバーは、前記端末装置から送信メールを受信した時、受信した送信メールに含まれているグループ情報に基づいて当該グループ情報に対応するグループに属するメールサーバーを検索し、検索したメールサーバーに前記受信した送信メールを送信し、
前記メールサーバーは、前記センターサーバーから送信メールを受信した時、受信した送信メールに含まれている送信先会員の会員情報を記憶した会員カードが挿入されている台端末を検索し、検索した台端末に前記受信した送信メールを送信する
メール送信装置。
【請求項３】  請求項２に記載のメール送信装置において、
前記メールサーバーは、送信メールを端末装置に送信した時送信完了通知を前記センターサーバーに送信し、
前記センターサーバーは、前記メールサーバーからの送信完了通知に基づいて会員情報に対する送信履歴を記憶し、前記端末装置から送信メールを受信した時、まず受信した送信メールに含まれている送信先会員の会員情報の送信履歴を検索し、送信履歴が検索された場合には、送信完了通知を最新に送信したメールサーバーに前記受信した送信メールを送信する
メール送信装置。
【請求項４】  センターサーバー，メールサーバーおよび遊技台の台端末を含めた端末装置を少なくとも有し、端末装置から送信された送信メールを前記センターサーバーおよび前記メールサーバーを介して台端末に送信するメール送信装置であって、
前記センターサーバーは、前記メールサーバーから前記台端末に挿入されている会員カードに記憶されている会員情報を受信し、前記端末装置から送信メールを受信した時、受信した送信メールに含まれている送信先会員の会員情報に基づいて前記メールサーバーから受信した会員情報から当該会員情報を記憶した会員カードが挿入されている台端末が属するメールサーバーを検索し、検索したメールサーバーに前記受信した送信メールを送信する
メール送信装置。
【請求項５】  センターサーバーおよび遊技台の台端末を含めた端末装置を少なくとも有し、端末装置から送信された送信メールを台端末に送信するメール送信装置であって、
前記センターサーバーは、前記端末装置から送信先会員の会員情報が入力された時、当該送信先会員の会員情報を記憶した会員カードを検索し、検索した会員の所在地を表示する
メール送信装置。
【手続補正２】
【補正対象書類名】明細書
【補正対象項目名】０００４
【補正方法】変更
【補正の内容】
【０００４】
【課題を解決するための手段】
前記課題を解決するために、請求項１に記載の発明は、センターサーバーおよび遊技台の台端末を含めた端末装置を少なくとも有し、端末装置から送信された送信メールを台端末に送信するメール送信装置であって、前記センターサーバーは、前記端末装置から送信メールを受信した時、受信した送信メールに含まれている送信先会員の会員情報を記憶した会員カードが挿入されている台端末を検索し、検索した台端末に前記受信した送信メールを送信するメール送信装置である。
請求項１に記載のメール装置を用いれば、センターサーバーは送信先会員の所在地（すなわち遊技台の台端末）を検索して送信メールを送信するため、容易、確実に特定の会員に連絡することができる。
また、請求項２に記載の発明は、センターサーバー，メールサーバーおよび遊技台の台端末を含めた端末装置を少なくとも有し、端末装置から送信された送信メールを前記センターサーバーおよび前記メールサーバーを介して台端末に送信するメール送信装置であって、前記センターサーバーは、前記端末装置から送信メールを受信した時、受信した送信メールに含まれているグループ情報に基づいて当該グループ情報に対応するグループに属するメールサーバーを検索し、検索したメールサーバーに前記受信した送信メールを送信し、前記メールサーバーは、前記センターサーバーから送信メールを受信した時、受信した送信メールに含まれている送信先会員の会員情報を記憶した会員カードが挿入されている台端末を検索し、検索した台端末に前記受信した送信メールを送信するメール送信装置である。
請求項２に記載のメール送信装置を用いれば、センターサーバーは送信メールに含まれているグループ情報に対応するグループに属するメールサーバーに送信メールを送信し、メールサーバーは送信先会員の所在地（すなわち遊技台の台端末）を検索して送信メールを送信するため、容易、確実に特定の会員に連絡することができるとともに、センターサーバーの負担を軽減することができる。
また、請求項３に記載の発明は、請求項２に記載のメール送信装置において、前記メールサーバーは、送信メールを端末装置に送信した時送信完了通知を前記センターサーバーに送信し、前記センターサーバーは、前記メールサーバーからの送信完了通知に基づいて会員情報に対する送信履歴を記憶し、前記端末装置から送信メールを受信した時、まず受信した送信メールに含まれている送信先会員の会員情報の送信履歴を検索し、送信履歴が検索された場合には、送信完了通知を最新に送信したメールサーバーに前記受信した送信メールを送信する。
請求項３に記載のメール送信装置を用いれば、送信先会員に最新に送信メールを送信したメールサーバーに送信メールを送信するため、各メールサーバーの負担を軽減することができる。
また、請求項４に記載の発明は、センターサーバー，メールサーバーおよび遊技台の台端末を含めた端末装置を少なくとも有し、端末装置から送信された送信メールを前記センターサーバーおよび前記メールサーバーを介して台端末に送信するメール送信装置であって、前記センターサーバーは、前記メールサーバーから前記台端末に挿入されている会員カードに記憶されている会員情報を受信し、前記端末装置から送信メールを受信した時、受信した送信メールに含まれている送信先会員の会員情報に基づいて前記メールサーバーから受信した会員情報から当該会員情報を記憶した会員カードが挿入されている台端末が属するメールサーバーを検索し、検索したメールサーバーに前記受信した送信メールを送信するメール送信装置である。
請求項４に記載のメール送信装置を用いれば、センターサーバーは送信先会員が存在するメールサーバーを検索して送信メールを送信するため、容易、確実に特定の会員に連絡することができるとともに、センターサーバーの負担を軽減することができる。
また、請求項５に記載の発明は、センターサーバーおよび遊技台の台端末を含めた端末装置を少なくとも有し、端末装置から送信された送信メールを台端末に送信するメール送信装置であって、前記センターサーバーは、前記端末装置から送信先会員の会員情報が入力された時、当該送信先会員の会員情報を記憶した会員カードを検索し、検索した会員の所在地を表示するメール送信装置である。
請求項５に記載のメール送信装置を用いれば、センターサーバーは送信先会員の会員カードを検索して表示するため、確実に特定の会員の所在地を報知することができる。